(57)【要約】【課題】高精細度の画像表示デバイスであっても、画像表示デバイスの電極と駆動回路を実装した回路基板とを容易に接続する。【解決手段】フレキシブル基板１０は、画像表示デバイスに接続するためのパネル側接続部１１と駆動回路に接続するための第１の回路側接続部１２とを有するとともにパネル側接続部１１と第１の回路側接続部１２との間に第１の貼り合わせ部１７を有する第１基板部１６と、駆動回路に接続するための第２の回路側接続部１３と第１の貼り合わせ部１７に貼り合わせるための第２の貼り合わせ部１９とを有する第２基板部１８とを備え、第１の貼り合わせ部１７と第２の貼り合わせ部１９とを貼り合わせて形成され、回路基板９０は、フレキシブル基板１０の第１の回路側接続部１２を接続するコネクタ９２を一方の面に設け、フレキシブル基板１０の第２の回路側接続部１３を接続するコネクタ９３を他方の面に設けた。【選択図】図２
2011174959.tif 000002
【特許請求の範囲】
【請求項１】
画像表示デバイスと、前記画像表示デバイスの電極に接続されたフレキシブル基板と、前記フレキシブル基板を接続するコネクタを設けた回路基板とを備えた画像表示装置であって、
前記フレキシブル基板は、
前記画像表示デバイスに接続するための複数の接続端子を有するパネル側接続部と前記駆動回路に接続するための複数の接続端子を有する第１の回路側接続部とを有するとともに、前記パネル側接続部と前記第１の回路側接続部との間に第１の貼り合わせ部を有する第１基板部と、
前記駆動回路に接続するための複数の接続端子を有する第２の回路側接続部と、前記第１の貼り合わせ部に貼り合わせるための第２の貼り合わせ部とを有する第２基板部とを備え、
前記第１の貼り合わせ部と前記第２の貼り合わせ部とを貼り合わせて形成され、
前記回路基板は、
前記フレキシブル基板の第１の回路側接続部を接続するコネクタを一方の面に設け、前記フレキシブル基板の第２の回路側接続部を接続するコネクタを他方の面に設けた
ことを特徴とする画像表示装置。
【請求項２】
前記画像表示デバイスは、プラズマディスプレイパネルであることを特徴とする請求項１に記載の画像表示装置。
【発明の詳細な説明】
【技術分野】
【０００１】
本発明は、平板型の画像表示デバイスを用いた画像表示装置に関する。
【背景技術】
【０００２】
一般にプラズマディスプレイパネルや液晶パネル等の平板型の画像表示デバイスは、行方向および列方向にマトリクス状に配置された多数の電極を有する。そして、これらの画像表示デバイスを用いた画像表示装置では、フレキシブル基板（Ｆｌｅｘｉｂｌｅ  Ｐｒｉｎｔｅｄ  Ｃｉｒｃｕｉｔｓ）を介して画像表示デバイスのそれぞれの電極に駆動電圧波形が供給される。
【０００３】
例えば、プラズマディスプレイパネルであれば、パネルの長辺側にはデータ電極の電極端子が、パネルの短辺側の一方には走査電極の電極端子が、パネルの短辺側の他方には維持電極の電極端子がそれぞれ設けられている。そしてそれぞれの電極端子にはフレキシブル基板が取り付けられている（例えば、特許文献１参照）。ここで走査電極の電極端子の数は列方向の画素の数に等しい。
【先行技術文献】
【特許文献】
【０００４】
【特許文献１】特開２００４−０８６１３４号公報
【発明の概要】
【発明が解決しようとする課題】
【０００５】
平板型画像表示デバイスの高精細度化が進んで画素数が増えると、マトリクス状に配置された電極も微細化され、フレキシブル基板を接続すべき電極端子も微細化される。しかしながら各電極に印加する駆動電圧波形を発生する駆動回路を実装した回路基板の配線間隔やフレキシブル基板の回路側接続部の接続端子の間隔およびそれを接続するコネクタの端子間距離等は安全基準を満たさなければならないので、無制限に微細化することはできない。
【０００６】
そのため画像表示デバイスの電極と駆動回路を実装した回路基板とを容易に接続することができず、回路基板上のコネクタおよびその配線の配置が難しくなる、あるいは回路基板そのものの配置が難しくなるといった問題が発生してきた。特に、許されるコネクタの端子間距離よりもパネルの電極間隔が狭くなると、フレキシブル基板を接続するコネクタを、回路基板上に１列に配置することができなくなる。そして回路基板上にコネクタを分散して配置すると、フレキシブル基板同士が回路基板上で交錯して画像表示装置の組立工数が増加する、あるいはフレキシブル基板のそれぞれに付随するインピーダンスおよびそれらの差が大きくなり、駆動電圧波形にひずみが重畳して画像表示品質が低下する、といった問題が生じてきた。
【０００７】
本発明は上記課題に鑑みなされたものであり、高精細度の画像表示デバイスであっても、画像表示デバイスの電極と駆動回路を実装した回路基板とを容易に接続することができる画像表示装置を提供することを目的とする。
【課題を解決するための手段】
【０００８】
上記目的を達成するために本発明は、画像表示デバイスと、画像表示デバイスの電極に接続されたフレキシブル基板と、フレキシブル基板を接続するコネクタを設けた回路基板とを備えた画像表示装置であって、フレキシブル基板は、画像表示デバイスに接続するための複数の接続端子を有するパネル側接続部と駆動回路に接続するための複数の接続端子を有する第１の回路側接続部とを有するとともにパネル側接続部と第１の回路側接続部との間に第１の貼り合わせ部を有する第１基板部と、駆動回路に接続するための複数の接続端子を有する第２の回路側接続部と第１の貼り合わせ部に貼り合わせるための第２の貼り合わせ部とを有する第２基板部とを備え、第１の貼り合わせ部と第２の貼り合わせ部とを貼り合わせて形成され、回路基板は、フレキシブル基板の第１の回路側接続部を接続するコネクタを一方の面に設け、フレキシブル基板の第２の回路側接続部を接続するコネクタを他方の面に設けたことを特徴とする。この構成により、高精細度の画像表示デバイスであっても、画像表示デバイスの電極と駆動回路を実装した回路基板とを容易に接続することができる画像表示装置を提供することができる。
【０００９】
また本発明の画像表示装置の画像表示デバイスはプラズマディスプレイパネルであってもよい。
【発明の効果】
【００１０】
本発明によれば、高精細度の画像表示デバイスであっても、画像表示デバイスの電極と駆動回路を実装した回路基板とを容易に接続することができる画像表示装置を提供することが可能となる。
【図面の簡単な説明】
【００１１】
【図１Ａ】本発明の実施の形態１におけるフレキシブル基板を示す平面図である。
【図１Ｂ】本発明の実施の形態１におけるフレキシブル基板を示す分解斜視図である。
【図２】本発明の実施の形態１におけるフレキシブル基板が回路基板のコネクタに接続される様子を示す斜視図である。
【図３】本発明の実施の形態２におけるプラズマディスプレイ装置に用いるパネルの分解斜視図である。
【図４】本発明の実施の形態２におけるパネルの前面基板の表示電極対３４および対応する電極端子の配置を示す模式図である。
【図５】本発明の実施の形態２におけるプラズマディスプレイ装置に用いるパネルの各電極に印加する駆動電圧波形を示す図である。
【図６】本発明の実施の形態２におけるプラズマディスプレイ装置の回路ブロック図である。
【図７】本発明の実施の形態２におけるプラズマディスプレイ装置の回路基板に実装された駆動回路を示す図である。
【図８】本発明の実施の形態２におけるプラズマディスプレイ装置の構造を示す分解斜視図である。
【図９】本発明の実施の形態２におけるプラズマディスプレイ装置の走査電極用電極端子とコネクタとの接続の様子を示す拡大図である。
【図１０】本発明の実施の形態３におけるフレキシブル基板を示す斜視図である。
【発明を実施するための形態】
【００１２】
以下、本発明の実施の形態における画像表示装置に用いられるフレキシブル基板ついて、図面を参照しながら説明する。
【００１３】
（実施の形態１）
図１Ａおよび図１Ｂは、本発明の実施の形態１におけるフレキシブル基板１０を示す図であり、図１Ａは平面図、図１Ｂは分解斜視図をそれぞれ示している。フレキシブル基板１０は、画像表示デバイスと駆動回路とを接続するフレキシブル基板であって、第１基板部１６と第２基板部１８とを貼り合わせて構成されている。
【００１４】
第１基板部１６は、パネル側接続部１１と、第１の回路側接続部１２と、第１の貼り合わせ部１７とを有する。パネル側接続部１１は画像表示デバイスであるパネルの電極端子（図示せず）に接続するための複数の接続端子２１を有する。第１の回路側接続部１２（以下、単に「回路側接続部１２」と呼称する）は回路基板上に設けられたコネクタ（図示せず）を介して駆動回路に接続するための複数の接続端子２２を有する。第１の貼り合わせ部１７（以下、単に「貼り合わせ部１７」と呼称する）は、パネル側接続部１１と第１の回路側接続部１２との間に設けられ、第２基板部１８と貼り合わせるための複数の貼り合わせ端子２７を有する。図１Ｂにおいては、接続端子２１と接続端子２２と貼り合わせ端子２７とは第１基板部１６の裏面側に設けられているため、それぞれ点線で示している。
【００１５】
また第１基板部１６は、接続端子２１と接続端子２２とをそれぞれ電気的に接続する配線２５ａ、および接続端子２１と貼り合わせ端子２７とをそれぞれ電気的に接続する配線２５ｂを有する。そしてそれらの配線２５ａ、２５ｂはポリイミド等の可撓性を有する基材上に形成され、さらに接続端子２１上と接続端子２２上と貼り合わせ端子２７上とを除いて可撓性を有するフィルムで覆われている。
【００１６】
第２基板部１８は、第２の回路側接続部１３と第２の貼り合わせ部１９とを有する。第２の回路側接続部１３（以下、単に「回路側接続部１３」と呼称する）は回路基板上に設けられたコネクタ（図示せず）を介して駆動回路に接続するための複数の接続端子２３を有する。第２の貼り合わせ部１９（以下、単に「貼り合わせ部１９」と呼称する）は第１基板部１６の貼り合わせ部１７に接続するための複数の貼り合わせ端子２９を有する。図１Ｂにおいては、接続端子２３と貼り合わせ端子２９とは第２基板部１８の表面側に設けられているため、それぞれ実線で示している。ここで、接続端子２３と貼り合わせ端子２９とが配線２６で接続されている。そしてこれらの配線２６もポリイミド等の可撓性を有する基材上に形成され、さらに接続端子２３上と貼り合わせ端子２９上とを除いて可撓性を有するフィルムで覆われている。
【００１７】
そして第１基板部１６と第２基板部１８とが重なるように貼り合わせ部１７と貼り合わせ部１９とを貼り合わせて、フレキシブル基板１０が形成されている。これにより、フレキシブル基板１０のパネル側接続部１１の接続端子２１と回路側接続部１２の接続端子２２とは配線２５ａを介して電気的に接続され、パネル側接続部１１の接続端子２１と回路側接続部１３の接続端子２３とは配線２５ｂ、貼り合わせ部１７、貼り合わせ部１９、配線２６を介して電気的に接続される。
【００１８】
ここで、パネル側接続部１１に設けられた接続端子２１の間隔（ピッチ）は、接続すべきパネルの電極端子のピッチと同じであり、通常はパネルの電極ピッチと同程度またはそれよりやや狭いピッチである。また回路側接続部１２に設けられた接続端子２２および回路側接続部１３に設けられた接続端子２３の間隔（ピッチ）は使用するコネクタの仕様により設定される。そして使用できるコネクタはパネルに印加する駆動電圧波形の電圧や電流により制限される。
【００１９】
高精細度パネルではパネルの電極ピッチが非常に狭くなるにもかかわらず、コネクタの端子間距離は安全基準等により制限されるので、回路側接続部１２に設けられた接続端子２２および回路側接続部１３に設けられた接続端子２３のピッチはパネル側接続部１１に設けられた接続端子２１のピッチより広くなる。
【００２０】
本実施の形態におけるフレキシブル基板１０は、例えばパネル側接続部１１の接続端子２１の数は２７０個であり、そのピッチは０．２６ｍｍである。また回路側接続部１２の接続端子２２および回路側接続部１３の接続端子２３の数はそれぞれ１３５個であり、そのピッチはそれぞれ０．４２ｍｍである。このように、接続端子２２および接続端子２３のピッチは接続端子２１のピッチより広くなっている。
【００２１】
図２は、本発明の実施の形態１におけるフレキシブル基板１０が回路基板９０のコネクタ９２、コネクタ９３に接続される様子を示す斜視図である。
【００２２】
このように、フレキシブル基板１０の第１基板部１６に設けられた回路側接続部１２は、回路基板９０の一方の面側に設けられたコネクタ９２に接続される。また第２基板部１８に設けられた回路側接続部１３は、回路基板９０の他方の面側に設けられたコネクタ９３に接続される。
【００２３】
本実施の形態におけるフレキシブル基板は、パネル側接続部１１から離間する位置に第１の回路側接続部１２を有するとともに第１の貼り合わせ部１７を有する第１基板部１６と、第２の回路側接続部１３を有するとともに第２の貼り合わせ部１９を有する第２基板部１８とを、第１基板部１６と第２基板部１８とが重なるように第１の貼り合わせ部１７と第２の貼り合わせ部１９とを貼り合わせて形成されている。
【００２４】
さらに上述したように、本実施の形態におけるフレキシブル基板１０の回路側接続部１２に設けられた接続端子２２および回路側接続部１３に設けられた接続端子２３のピッチは、パネル側接続部１１に設けられた接続端子２１のピッチより広くなっている。しかしこのように、フレキシブル基板１０を回路基板９０の表面側と裏面側とに設けられたコネクタ９２、コネクタ９３に接続することで、フレキシブル基板１０を実装したときにフレキシブル基板１０が占有する幅がパネル側接続部１１の幅と同程度となる。そのため、複数のフレキシブル基板１０をパネルの電極端子に並べて接続した場合であっても、コネクタを回路基板の表面上および裏面上に１列に配置することができ、コンパクトな画像表示装置を実現することができる。
【００２５】
なお、本実施の形態においては、パネル側接続部１１の接続端子２１の数は２７０個であり、回路側接続部１２の接続端子２２および回路側接続部１３の接続端子２３の数はともに１３５個であるとした。この場合には接続端子２２の数と接続端子２３の数とが等しく、かつ接続端子２２の数と接続端子２３の数との和が接続端子２１の数と等しくなる。しかし本発明はこれらの数値およびこれらの関係に限定されるものではない。接続端子２２および接続端子２３の数は等しくなくてもよく、接続端子２２の数と接続端子２３の数との和が接続端子２１の数と等しくなくてもよい。例えば回路側接続部１２および回路側接続部１３にダミーの接続端子が含まれている場合には、接続端子２２の数と接続端子２３の数との和は接続端子２１の数よりも大きくなる。また他の例としては、画像表示デバイスの電極に印加する駆動電圧波形を発生させるための集積回路が複数実装されており、１つの集積回路から、例えば９０本分の駆動電圧波形が出力されるとする。このとき、回路側接続部１２の接続端子２２の数は集積回路２個分の１８０個、回路側接続部１３の接続端子２３の数は集積回路１個分の９０個としてもよい。このように、接続端子２２と接続端子２３との数が異なっていてもよい。また上記では各接続端子の数を集積回路の出力数の整数倍としたが、集積回路の出力数とは関係なく設定してもよい。
【００２６】
次に、本発明の実施の形態におけるフレキシブル基板を用いた画像表示装置を、プラズマディスプレイ装置を例に、図面を参照しながら説明する。
【００２７】
（実施の形態２）
図３は、本発明の実施の形態２におけるプラズマディスプレイ装置に用いるパネル３０の分解斜視図である。ガラス製の前面基板３１上には、走査電極３２と維持電極３３とからなる表示電極対３４が複数形成されている。そして走査電極３２と維持電極３３とを覆うように誘電体層３５が形成され、その誘電体層３５上に保護層３６が形成されている。背面基板４１上にはデータ電極４２が複数形成され、データ電極４２を覆うように誘電体層４３が形成され、さらにその上に井桁状の隔壁４４が形成されている。そして、隔壁４４の側面および誘電体層４３上には蛍光体層４５が設けられている。
【００２８】
これらの前面基板３１と背面基板４１とは、微小な放電空間を挟んで表示電極対３４とデータ電極４２とが交差するように対向配置され、その外周部をガラスフリット等の封着材によって封着されている。そして放電空間には、例えばネオンとキセノンの混合ガスが放電ガスとして封入されている。放電空間は隔壁４４によって複数の区画に仕切られており、表示電極対３４とデータ電極４２とが交差する部分に放電セルが形成されている。そしてこれらの放電セルが放電、発光することにより画像が表示される。
【００２９】
行方向に長いｎ本の走査電極３２およびｎ本の維持電極３３が前面基板３１上に配列され、列方向に長いｍ本のデータ電極４２が背面基板４１上に配列されたパネル３０では、放電空間内にｍ×ｎ個の放電セルが形成されている。このｍ×ｎ個の放電セルが形成された領域は画像表示領域であり、前面基板３１側の画像表示領域に画像が表示される。
【００３０】
超高精細度パネルの走査電極３２および維持電極３３の数は、例えばｎ＝２１６０本である。そしてこれらの電極のそれぞれは、前面基板３１、背面基板４１の画像表示領域の外側であってパネル３０の周辺部に設けられた電極端子のそれぞれに接続されている。
【００３１】
図４は、本発明の実施の形態２におけるパネル３０の前面基板３１の表示電極対３４および対応する電極端子の配置を示す模式図であり、表示電極対３４および対応する電極端子が形成された面から見た図である。走査電極３２には、それぞれ異なった駆動電圧を印加する必要がある。そのために走査電極３２のそれぞれは、引出し線５１によって、表示面側から見た場合の画像表示領域外の右側の周辺部（従って図４の左側の周辺部）に設けられた走査電極用電極端子５２のそれぞれに接続されている。そしてフレキシブル基板１０を接続するために、走査電極用電極端子５２は複数本ずつグルーピングされて電極端子群５３として配置されている。図４には、４８本の走査電極３２と、８本ずつ６つの電極端子群５３にグルーピングされた４８本の走査電極用電極端子５２とを示しているが、これらの数は図を見やすくするためのものである。本実施の形態においては、例えば走査電極３２は２１６０本であり、走査電極用電極端子５２は２７０本ずつ８個の電極端子群５３にグルーピングされている。そして、それぞれの電極端子群５３に１枚ずつ、合計８枚のフレキシブル基板１０が接続される。
【００３２】
一方、維持電極３３のそれぞれには同一の駆動電圧を印加すればよいので、維持電極３３のそれぞれは電気的に短絡する短絡線５５に接続されている。そして短絡線５５にフレキシブル基板５８を接続するために、維持電極用電極端子５６が複数の電極端子群５７にグルーピングされ画像表示領域外の左側周辺部（従って図４の右側の周辺部）に設けられている。もちろん維持電極３３を複数の維持電極群に分割し、それぞれの維持電極群で異なった駆動電圧波形を印加する場合には、同一の駆動電圧波形を印加する維持電極同士を短絡線で短絡し、それぞれの短絡線に対してフレキシブル基板５８を接続すればよい。
【００３３】
次に、パネル３０を駆動するための駆動電圧波形の一例について説明する。パネル３０は、１フィールドの期間を複数のサブフィールドに分割し、それぞれのサブフィールドで各放電セルの発光・非発光を制御することにより画像を表示する。各サブフィールドは初期化期間、書込み期間、維持期間を有する。
【００３４】
図５は、本発明の実施の形態２におけるプラズマディスプレイ装置に用いるパネル３０の各電極に印加する駆動電圧波形を示す図である。図５には３つのサブフィールドに対する駆動電圧波形を示しているが、他のサブフィールドにおける駆動電圧波形もほぼ同様である。
【００３５】
最初のサブフィールドの初期化期間では、データ電極４２および維持電極３３に電圧０（Ｖ）を印加するとともに、走査電極３２に電圧Ｖｉ１から電圧Ｖｉ２に向かって緩やかに上昇するランプ電圧を印加する。その後、維持電極３３に電圧Ｖｅ１を印加するとともに、走査電極３２に電圧Ｖｉ３から電圧Ｖｉ４に向かって緩やかに下降するランプ電圧を印加する。すると各放電セルで微弱な初期化放電が発生し、続く書込み動作に必要な壁電荷を各電極上に形成する。
【００３６】
なお、初期化期間の動作としては、２番目および３番目のサブフィールドの初期化期間に示したように、走査電極３２に対して緩やかに下降するランプ電圧を印加するだけでもよい。
【００３７】
続く書込み期間では、維持電極３３に電圧Ｖｅ２を、走査電極３２に電圧Ｖｃをそれぞれ印加する。次に、最初に書込み動作を行う走査電極３２に電圧Ｖａの走査パルスを印加するとともに、発光すべき放電セルに対応するデータ電極４２に電圧Ｖｄの書込みパルスを印加する。すると走査パルスと書込みパルスとが同時に印加された放電セルでは書込み放電が発生し、放電セルの走査電極３２上および維持電極３３上に壁電荷を蓄積する書込み動作が行われる。
【００３８】
次に、２番目に書込み動作を行う走査電極３２に走査パルスを印加するとともに、発光すべき放電セルに対応するデータ電極４２に書込みパルスを印加する。すると走査パルスと書込みパルスとが同時に印加された放電セルでは書込み放電が発生して書込み動作が行われる。このような書込み動作を発光すべき全ての放電セルで行い、発光すべき放電セルに対して選択的に書込み放電を発生させ壁電荷を形成する。
【００３９】
このように走査電極３２には、それぞれ異なった駆動電圧を印加する必要がある。また電圧Ｖｃと電圧Ｖａとの差電圧は、通常は５０（Ｖ）〜１５０（Ｖ）程度である。そのため、この差電圧に依存して、フレキシブル基板の回路側接続部の接続端子の間隔や、それを接続するコネクタの端子間距離の最小値が制限される。
【００４０】
続く維持期間では、維持電極３３に電圧０（Ｖ）を印加する。そして走査電極３２に電圧Ｖｓの維持パルスを印加する。すると、書込み放電を起こした放電セルでは維持放電が起こり発光する。
【００４１】
次に、走査電極３２に電圧０（Ｖ）を印加するとともに、維持電極３３に電圧Ｖｓの維持パルスを印加する。すると維持放電を起こした放電セルでは再び維持放電が起こり発光する。以降、輝度重みに応じた維持パルスを走査電極３２と維持電極３３とに交互に印加して、放電セルを発光させる。
【００４２】
このとき、走査電極３２のそれぞれには放電にともなう大きなピーク電流が流れる。そしてこの電流を安定して流すために、回路基板の配線の太さやフレキシブル基板の回路側接続部の接続端子の幅の最小値が制限される。
【００４３】
そして、維持期間の最後には電圧Ｖｒに向かって緩やかに上昇するランプ電圧を走査電極３２に印加して、データ電極４２上の正の壁電圧を残したまま、走査電極３２上および維持電極３３上の壁電圧を弱める。こうして維持期間における維持動作が終了する。
【００４４】
続くサブフィールドにおいても上述したサブフィールドと同様の動作を行う。このようにして、１フィールドの期間を複数のサブフィールドで構成し、放電セルを発光させるサブフィールドを制御して階調を表示している。
【００４５】
なお、画素数の多い高精細度パネルでは、全ての表示電極対３４に対して上述した駆動方法を適用すると、書込み動作に要する時間が長くなりすぎて階調表示に必要なサブフィールド数が確保できなくなるという問題がある。しかしその場合には、例えば表示電極対３４を複数の表示電極対グループに分け、それぞれの表示電極対グループ毎に上述した駆動方法を適用することで必要とするサブフィールド数を確保することができる。
【００４６】
図６は、本発明の実施の形態２におけるプラズマディスプレイ装置６０の回路ブロック図である。プラズマディスプレイ装置６０は、パネル３０、画像信号処理回路６１、データ電極駆動回路６２、走査電極駆動回路６３、維持電極駆動回路６４、タイミング発生回路６５および各回路ブロックに必要な電源を供給する電源部（図示せず）を備えている。
【００４７】
画像信号処理回路６１は、入力された画像信号をサブフィールド毎の発光・非発光を示す画像データに変換する。データ電極駆動回路６２はサブフィールド毎の画像データをデータ電極４２のそれぞれに印加する書込みパルスに変換する。タイミング発生回路６５は水平同期信号、垂直同期信号をもとにして各回路ブロックの動作を制御する各種のタイミング信号を発生し、それぞれの回路ブロックへ供給する。走査電極駆動回路６３はタイミング信号にもとづいて走査電極３２のそれぞれに印加する駆動電圧波形を発生し、維持電極駆動回路６４はタイミング信号にもとづいて維持電極３３に印加する駆動電圧波形を発生する。そしてこれらの駆動回路は複数枚の回路基板上に実装されている。
【００４８】
図７は、本発明の実施の形態２におけるプラズマディスプレイ装置６０の回路基板に実装された駆動回路を示す図であり、走査電極駆動回路６３の一例を示している。走査電極駆動回路６３の維持パルスを発生する維持パルス発生部と初期化波形を発生する初期化波形発生部とは回路基板７１に実装されている。また、走査パルスを発生させる走査パルス発生部６９は回路基板７２および回路基板７３に分割して実装されている。図示していないが、画像信号処理回路６１、データ電極駆動回路６２、維持電極駆動回路６４、タイミング発生回路６５、電源回路もそれぞれの回路基板に実装されている。
【００４９】
図８は、本発明の実施の形態２におけるプラズマディスプレイ装置６０の構造を示す分解斜視図である。プラズマディスプレイ装置６０は、パネル３０と、シャーシ８１と、熱伝導シート８２と、電源回路、走査電極駆動回路、維持電極駆動回路、タイミング発生回路等、パネル３０を駆動するための回路を搭載した回路基板群８３と、これらを収納する前面枠８４およびバックカバー８５とを備えている。
【００５０】
パネル３０の短辺側の一方（図８の手前側）には走査電極用電極端子５２（図示せず）が設けられ、走査電極用電極端子５２にはフレキシブル基板１０が接続されている。また、パネル３０の短辺側の他方に設けられた維持電極用電極端子５６（図示せず）にはフレキシブル基板５８が接続され、パネル３０の長辺側に設けられたデータ電極用電極端子（図示せず）にはフレキシブル基板５９が接続されている。
【００５１】
熱伝導シート８２は、パネル３０をシャーシ８１に接着するとともに、パネル３０で発生した熱をシャーシ８１に逃がすために設けられている。シャーシ８１は、一方の面で熱伝導シート８２を介してパネル３０が保持されるとともに、他方の面には回路基板群８３の各回路基板が取り付けられている。
【００５２】
図８には、回路基板群８３のうち、走査電極駆動回路６３の維持パルス発生部と初期化波形発生部とを実装した回路基板７１、および走査電極駆動回路６３の走査パルス発生部６９を実装した回路基板７２、回路基板７３を明示している。また回路基板７２、回路基板７３には、走査電極３２のそれぞれに駆動電圧波形を出力するためのコネクタ７６およびコネクタ７７がそれぞれ複数設けられている。本実施の形態においては、回路基板７２、回路基板７３の一方の面（裏面）に、フレキシブル基板１０の回路側接続部１２を接続するコネクタ７６が複数設けられ、回路基板７２、回路基板７３の他方の面（表面）に、フレキシブル基板１０の回路側接続部１３を接続するコネクタ７７が複数設けられている。
【００５３】
パネル３０の走査電極用電極端子５２に接続されたフレキシブル基板１０のそれぞれは、シャーシ８１を乗り越えてコネクタ７６およびコネクタ７７のそれぞれに接続されている。
【００５４】
図９は、本発明の実施の形態２におけるプラズマディスプレイ装置６０の走査電極用電極端子５２とコネクタ７６、７７との接続の様子を示す拡大図である。
【００５５】
フレキシブル基板１０のパネル側接続部１１は、パネル３０の前面基板３１の短辺側の一方に設けられた走査電極用電極端子５２（図示せず）に接続されている。フレキシブル基板１０を走査電極用電極端子５２に接続するには、例えば異方性導電フィルムを挟んでフレキシブル基板１０と走査電極用電極端子５２とを重ね、加熱圧着すればよい。
【００５６】
フレキシブル基板１０は第２基板部１８が第１基板部１６と重なる状態でシャーシ８１（図示せず）を乗り越えて回路基板７２側へ曲げられている。そしてフレキシブル基板１０の回路側接続部１２は回路基板７２の裏面側に設けられたコネクタ７６に接続され、回路側接続部１３は回路基板７２の表面側に設けられたコネクタ７７に接続されている。
【００５７】
なお、図９には図面を見やすくするためにシャーシ８１が省略されているが、図８に示したように、パネル３０と回路基板７２との間にはシャーシ８１が存在する。
【００５８】
図５を用いて説明したように、パネル３０の走査電極３２にはそれぞれ異なった駆動電圧波形を印加する必要がり、異なる走査電極３２には書込み期間において５０（Ｖ）〜１５０（Ｖ）の大きな電位差が印加される。さらに維持期間において走査電極３２には大きな電流を流す必要がある。そのため、フレキシブル基板１０の回路側接続部１２に設けられた接続端子２２および回路側接続部１３に設けられた接続端子２３のピッチは無制限に小さくすることができない。一方、高精細度パネルでは、走査電極用電極端子５２の間隔は走査電極３２の間隔に依存して狭くなる。そのため接続端子２２および接続端子２３のピッチは、パネル側接続部１１に設けられた接続端子２１のピッチよりも広くせざるを得なくなる。
【００５９】
しかしこのように、フレキシブル基板１０を構成し、回路基板７２の裏面側に設けられたコネクタ７６と表面側に設けられたコネクタ７７とに接続することで、フレキシブル基板１０を実装したときにフレキシブル基板１０が占有する幅をパネル側接続部１１の幅と同程度とすることができる。そのため、高精細度パネル３０に複数のフレキシブル基板１０を実装した画像表示装置であっても、コネクタ７６、コネクタ７７を回路基板７２の表面上および裏面上に１列に配置することができ、コンパクトな画像表示装置を実現することができる。
【００６０】
なお、本実施の形態においては、パネル側接続部１１と回路側接続部１３との距離が、パネル側接続部１１と回路側接続部１２との距離よりも長いフレキシブル基板１０を例に説明した。これはコネクタ７６を回路基板７２の端部に近い裏面側に配置し、コネクタ７７を回路基板７２の端部から遠い表面側に配置することで、回路側接続部１２とコネクタ７６とを作業性よく接続し、回路側接続部１３とコネクタ７７とを作業性よく接続するためである。しかし本発明はこれに限定されるものではない。例えばコネクタ７６は回路基板７２の端部から遠い裏面側に配置され、コネクタ７７は回路基板７２の端部に近い表面側に配置されてもよく、またコネクタ７６が配置される端部からの距離は、コネクタ７７が配置される端部からの距離とほぼ等しくてもよい。あるいは、回路基板７３の表面側にフレキシブル基板１０の回路側接続部１２を接続するコネクタ７６が複数設けられ、回路基板７２、回路基板７３の裏面側にフレキシブル基板１０の回路側接続部１３を接続するコネクタ７７が複数設けられてもよい。このように、コネクタ７６およびコネクタ７７が配置される位置は、パネル側接続部１１と回路側接続部１２および回路側接続部１３との位置、配線２５ａ、２５ｂ、２６が形成される基材の面等に依存して設定される。
【００６１】
（実施の形態３）
図１０は、本発明の実施の形態３におけるフレキシブル基板１１０を示す斜視図である。フレキシブル基板１１０は、第１基板部１１６と第２基板部１１８とを貼り合わせて構成されている。
【００６２】
第１基板部１１６は、パネル側接続部１１と、回路側接続部１２と、貼り合わせ部１７とを有する。第２基板部１１８は、回路側接続部１３と貼り合わせ部１９とを有する。実施の形態３におけるパネル側接続部１１と、回路側接続部１２と、回路側接続部１３と、貼り合わせ部１７と、貼り合わせ部１９とは実施の形態１と同じであるため、同じ符号を付して説明を省略する。
【００６３】
実施の形態３におけるフレキシブル基板１１０が図１に示した実施の形態１におけるフレキシブル基板１０と異なるのは、パネル側接続部１１の接続端子２１と回路側接続部１２の接続端子２２とを電気的に接続する配線２５ａの長さと、パネル側接続部１１の接続端子２１と回路側接続部１３の接続端子２３とを電気的に接続する配線２５ｂと配線２６の長さの和とをほぼ等しくした点である。
【００６４】
そのため実施の形態３においては、フレキシブル基板１１０の第２基板部１１８の長さを、実施の形態１におけるフレキシブル基板１０の第２基板部１８の長さよりも短く設定している。このように、接続端子２１と接続端子２２とを電気的に接続する配線の長さと、接続端子２１と接続端子２３とを電気的に接続する配線の長さとをほぼ等しくすることにより、フレキシブル基板１１０を経由するそれぞれの配線の電流経路のインピーダンスをほぼ等しくすることができる。
【００６５】
上述したように、例えばプラズマディスプレイパネルの走査電極には、維持期間において大きなピーク電流を流す必要がある。このとき仮に走査電極のそれぞれに至る電流経路のインピーダンスのばらつきが存在すると仮定すると、駆動電圧波形に重畳するリンギングにもばらつきが発生して画像表示品質が低下することになる。しかしながら本実施の形態におけるフレキシブル基板１１０を用いた画像表示装置であれば、各走査電極に至るそれぞれの配線の電流経路のインピーダンスをほぼ等しくすることができるので、リンギングのばらつきを抑え、品質のよい画像を表示することができる。
【００６６】
なお、実施の形態１〜３において示した具体的な数値等は単に一例を示したにすぎず、本発明はこれらの数値に何ら限定されるものではない。これらの数値等は、使用する画像表示デバイスの特性や画像表示装置の仕様等に合わせて最適に設定することが望ましい。
【産業上の利用可能性】
【００６７】
本発明は、高精細度の画像表示デバイスであっても、画像表示デバイスの電極と駆動回路を実装した回路基板とを容易に接続することができるので、画像表示装置として有用である。
【符号の説明】
【００６８】
１０，１１０    フレキシブル基板
１１    パネル側接続部
１２，１３    回路側接続部
１６，１１６    第１基板部
１７，１９    貼り合わせ部
１８，１１８    第２基板部
２１，２２，２３    接続端子
２５ａ，２５ｂ，２６    配線
３０    パネル
３１    前面基板
３２    走査電極
３３    維持電極
３４    表示電極対
３５，４３    誘電体層
３６    保護層
４１    背面基板
４２    データ電極
４４    隔壁
４５    蛍光体層
５１    引出し線
５２    走査電極用電極端子
５３，５７    電極端子群
５５    短絡線
５６    維持電極用電極端子
５８，５９    フレキシブル基板
６０    プラズマディスプレイ装置
６１    画像信号処理回路
６２    データ電極駆動回路
６３    走査電極駆動回路
６４    維持電極駆動回路
６５    タイミング発生回路
６９    走査パルス発生部
７１，７２，７３，９０    回路基板
７６，７７，９２，９３    コネクタ
８１    シャーシ
８２    熱伝導シート
８３    回路基板群
８４    前面枠
８５    バックカバー
【図１Ａ】
2011174959.tif 000003
【図１Ｂ】
2011174959.tif 000004
【図２】
2011174959.tif 000005
【図３】
2011174959.tif 000006
【図４】
2011174959.tif 000007
【図５】
2011174959.tif 000008
【図６】
2011174959.tif 000009
【図７】
2011174959.tif 000010
【図８】
2011174959.tif 000011
【図９】
2011174959.tif 000012
【図１０】
2011174959.tif 000013